(57)【要約】  【課題】  スリムスロットドライブ型の光ディスク装置において、ディスク非ローディング時、光ピックアップを耐衝撃性の優れたロック状態にできる技術を提供する。  【解決手段】  ロック機構として、光ピックアップの被ロック部と係合するフック部を有し、光ディスクのローディングまたはローディング解除の動作に伴ってスライド変位する部材により支点周りに回動変位するロック部材を備え、上記部材が該ロック部材に非当接状態とされるときには、上記フック部が上記被ロック部と係合する方向に回動変位して光ピックアップをロックし、該部材が当接状態とされるときには、上記フック部が上記被ロック部との係合を解除する方向に回動変位して光ピックアップのロックを解除する構成とする。【選択図】  図２
2007035178.tif 000002
【特許請求の範囲】
【請求項１】
光ピックアップを用い光ディスクに対し情報を記録または再生する光ディスク装置であって、
上記光ディスクが非ローディング状態にあるときは、上記光ピックアップをロックして移動不可能状態とし、該光ディスクがローディング状態にあるときは、該ロックを解除して上記光ピックアップを移動可能状態にするロック機構を備え、
上記ロック機構が、
上記光ピックアップ側に配された被ロック部と、
支点周りに回動可能で、上記被ロック部と係合するフック部を有し、光ディスクのローディングまたはローディング解除の動作に伴ってスライド変位する部材が当接または非当接状態とされることにより回動変位し、上記スライド変位する部材が非当接状態とされるときには、上記フック部が上記被ロック部と係合する方向に回動変位して上記光ピックアップを所定位置にロックし、上記部材が当接状態とされるときには、上記フック部が上記被ロック部との係合を解除する方向に回動変位して上記光ピックアップのロックを解除するロック部材と、
を備えて成る構成としたことを特徴とする光ディスク装置。
【請求項２】
上記ロック部材は、光ディスクの回転平面に略平行な平面内で上記支点周りに回動可能な構成である請求項１に記載の光ディスク装置。
【請求項３】
上記ロック機構は、上記ロック部材が、上記フック部が上記被ロック部と係合する方向に弾性部材の復元力で付勢された構成である請求項１に記載の光ディスク装置。
【請求項４】
上記ロック部材は、その凹部形成面に、上記スライド変位する部材の先端部が当接または非当接状態とされることにより回動変位する構成である請求項１に記載の光ディスク装置。
【発明の詳細な説明】
【技術分野】
【０００１】
本発明は、光ディスク装置に係り、特に、光ディスクが非ローディング状態とされるとき、光ピックアップをロックし、装置輸送時などにおける破損を防止するための構成に関する。
【背景技術】
【０００２】
本発明に関連した技術としては、例えば、特開２０００−３３９８８０号公報（特許文献１）に記載されたものがある。該公報には、ターンテーブルと光ピックアップとを備えたディスク駆動部が待機位置にあるときには、光ピックアップに設けた規制片が、ボトムシャーシに形成した突出部の側壁面に規制されることにより光ピックアップの移動を規制するとした構成が記載されている。
【０００３】
【特許文献１】特開２０００−３３９８８０号公報
【発明の開示】
【発明が解決しようとする課題】
【０００４】
上記公報記載の従来技術は、図示された構成からも明らかなように、装置の厚さ寸法が例えば約２５×１０−３ｍ以上とすることが許される光ディスク装置（例えばハーフハイト型の機種など）に適用するためのもので、ディスク駆動部（ユニットメカ部）の昇降支点から遠いディスク最内周側位置に突出部を設け、該位置で光ピックアップをロックしたり、該ロックを解除したりする構成としている。該従来技術の構成は、該突出部の位置におけるディスク駆動部（ユニットメカ部）の昇降変位が十分にとれる場合にのみ実施可能な構成であって、該昇降変位を大きくしにくい構成の機種例えばスリムスロットドライブ型の機種などにおいては実施上の問題点が多い。
【０００５】
図５は、スリムスロットドライブ型の機種に上記従来技術の方式を導入するとともに、突出部を、ユニットメカ部の昇降変位がディスクローディング時に光ピックアップのロック解除が可能な変位量となる位置に設けるとした場合の構成例図である。ボトムケース２０の内面部の上記ロック解除が可能な位置に突出部としてのピックアップストッパ２００を設けてある。ディスク排出時（ディスク非ローディング時）には、ユニットシャーシ５０がボトムケース２０に対し下降した状態で、光ピックアップ１３は昇降支点寄りのディスク最外周側位置となり、該光ピックアップ１３は、ピックアップストッパ２００と距離Ｌを隔てて離間した状態となる。該状態で輸送時などに衝撃力が加えられると、該光ピックアップ１３はピックアップストッパ２００側に移動し該ピックアップストッパ２００に激突して破損するおそれがある。なお、図５において、１１はディスクモータ、１２はターンテーブル、３０は、リードスクリュー３１を回転駆動するスライドモータ、４０は、光ディスクのローディングを行うローディングモータである。
【０００６】
本発明の課題点は、上記従来技術の状況に鑑み、スリムスロットドライブ型の光ディスク装置において、簡単な構成下で、ディスク非ローディング時に光ピックアップを、衝撃に対しても破損しないロック状態とすることである。
本発明の目的は、かかる課題点を解決し、信頼性の高い光ディスク装置を提供することにある。
【課題を解決するための手段】
【０００７】
上記課題点を解決するために、本発明では、光ディスク装置において、光ディスクが非ローディング状態（ディスク非ローディング状態）にあるときは光ピックアップをロックし、ローディング状態にあるときは該ロックを解除するロック機構として、光ピックアップの被ロック部と係合するフック部を有し、光ディスクのローディングまたはローディング解除の動作に伴ってスライド変位する部材により支点周りに回動変位するロック部材を備え、上記部材が該ロック部材に非当接状態とされるときには、上記フック部が上記被ロック部と係合する方向に回動変位して光ピックアップをロックし、該部材が当接状態とされるときには、上記フック部が上記被ロック部との係合を解除する方向に回動変位して光ピックアップのロックを解除する構成とする。
【発明の効果】
【０００８】
本発明によれば、光ディスク装置において、簡易な構成下で、輸送時などの衝撃力等に対する光ピックアップの保護が可能となり、装置の信頼性向上が可能となる。
【発明を実施するための最良の形態】
【０００９】
以下、本発明の実施例につき、図面を用いて説明する。
図１〜図４は本発明の実施例の説明図である。図１及び図２は、一実施例としての光ディスク装置の全体構成例図、図３は、図１、図２の光ディスク装置における光ピックアップのロック機構部分の構成図、図４は、図３のロック機構の動作説明図である。なお、図１〜図３においては、同じ構成要素には同じ符号を付しかつ同じ座標軸を用いるものとする。
図１は、本発明の実施例としての光ディスク装置の表側（ディスク載置側）の構成例図、図２は、同裏側（ディスク載置側と反対側）の構成例図である。
【００１０】
図１において、１は光ディスク装置、１１は、光ディスク（図示なし）を回転駆動するディスクモータ、１２は、光ディスクを載置するターンテーブル、１３は光ピックアップ、１３ａは対物レンズ、２０は、光ディスク装置１の裏面側を覆うボトムケース、３１は、表面にねじが設けられ、該ねじの回転により光ピックアップ（図示なし）を光ディスク（図示なし）の略半径方向に移動させるリードスクリュー部材、３０は、リードスクリュー部材３１を回転駆動する送りモータ、３２、３３は、該光ピックアップ１３の移動を案内するガイド部材、６０は、装置基台としてのベース部材、５０は、上記ディスクモータ１１、光ピックアップ１３、送りモータ３０、リードスクリュー部材３１、ガイド部材３２、３３等が搭載され、ベース部材６０に対し昇降変位可能なユニットメカデッキ部材、１２１、１２２、１２３は、光ディスクが前面パネル（図示なし）側からＹ軸方向に装置内に挿入されたとき及び光ディスクが装置内から前面パネル側に排出されるときに、該挿入・排出動作のための駆動力伝達を行うレバー部材、１２３ａは、レバー部材１２３の回動支点、１２４は、レバー部材１２３に接続されたスライドアーム部材、４０はローディングモータ、１６０は、ローディングモータ４０への駆動入力の供給をオン・オフするスイッチ、１６１は、スイッチ１６０を作動させるスイッチ作動用アーム部材、１５５は、該スイッチ作動用アーム部材１６１を付勢するばね、１６１ａは、スイッチ作動用アーム部材１６１のスイッチ当接部、４１は、レバー部材１２１にローディングモータ４０の回転駆動力を伝達する伝達機構、１７０は、ベース部材６０側に設けられ、光ディスクのローディング時、該光ディスクが装置内の所定位置に挿入された状態で上記ユニットメカデッキ部材５０を昇降変位させる昇降機構、１４３は、該昇降機構１７０に駆動力を伝達するアーム部材、１５３は、該アーム部材１４３を付勢するばね、Ａは、光ピックアップ１３をディスク非ローディング時に移動不可能な状態にロックするロック機構が配された領域（以下、便宜上、ロック機構という）、Ｂ及びＣは、上記ユニットメカデッキ部材５０の昇降変位の支点が配された位置（以下、便宜上、昇降変位の支点という）、線ＰＰ'は、昇降変位の支点Ｂ、Ｃ間を結ぶ線（以下、支点線という）である。ユニットメカデッキ部材５０は、昇降変位するとき、支点線ＰＰ'の周りに回動変位する。
【００１１】
また、図２において、１４０は、ロック機構Ａ内において、光ピックアップ１３を光ディスク装置内の所定の位置（ディスク非ローディング位置）にロックするロック部材、１４０ａは、ロック部材１４０のフック部、１４０ｃは、ロック部材１４０の回動支点、１４０ｄは、ロック部材１４０の凹部形成面、１５０は、ロック部材１４０を、回動支点１４０ｃに対し反時計回り方向に付勢するばね、１３１は、光ピックアップ１３上の被ロック部としての突出部、矢印Ｅは、スライドアーム部材１２４の移動方向である。他の符号は、上記図１の場合と同様である。ロック部材１４０は、光ディスクの回転平面に略平行な平面内で回動支点１４０ｃの周りに回動する。伝達機構４１はギヤ列を備えて構成される。
【００１２】
上記ロック機構Ａにおいて、ロック部材１４０は、上記スライドアーム部材１２４との非当接または当接によって、光ピックアップ１３をロック状態または非ロック状態にする。すなわち、光ディスク装置１内でローディングされていた光ディスクが該ローディング状態を解かれてすなわちローディング解除されて排出されるときには、スライドアーム部材１２４はロック部材１４０の凹部形成面１４０ｄとの当接状態を解かれ、矢印Ｅの方向とは反対方向に後退移動される。ロック部材１４０は、スライドアーム部材１２４との当接状態を解かれることで回動支点１４０ｃの周りに反時計回り方向に回動し、ディスク非ローディング位置でフック部１４０ａを光ピックアップ１３の突出部１３１に係合させ、該光ピックアップ１３をロック状態にする。一方、光ディスクを光ディスク装置１内に挿入しローディング状態とするときには、スライドアーム部材１２４は、矢印Ｅの方向に前進移動され、ロック部材１４０の凹部形成面１４０ｄと当接状態となる。ロック部材１４０は、スライドアーム部材１２４と当接状態にされることで該スライドアーム部材１２４から外力を与えられて回動支点１４０ｃの周りに時計回り方向に回動し、ディスクローディング動作の完了後に、該ディスクローディング位置でフック部１４０ａを光ピックアップ１３の突出部１３１から離間させ、該光ピックアップ１３のロック状態を解除する。
【００１３】
図１及び図２の構成において、光ディスクが光ディスク装置１内から排出されるとき、イジェクトボタン（図示なし）が押されるとローディングモータ４０が回転し、該回転駆動力により、伝達機構４１を経てレバー部材１２１、１２２が駆動され、該レバー部材１２２の駆動力が、アーム部材１４３を介して昇降機構１７０に伝達される。昇降機構１７０は、上記ユニットメカデッキ部材５０を支点線ＰＰ'の周りに回動させ、該ユニットメカデッキ部材５０をローディング状態の高さ位置からさらに−Ｚ軸方向に下降変位させる。このとき、これらレバー部材１２１、１２２の動作及び昇降機構１７０によるユニットメカデッキ部材５０の下降動作に並行して、レバー部材１２２によりレバー部材１２３が駆動され、回動支点１２３ａ周りに回動され、接続されているスライドアーム部材１２４を矢印Ｅの方向とは反対方向に後退移動させる。スライドアーム部材１２４は該後退移動によってロック部材１４０の凹部形成面１４０ｄとの当接状態から解放される。ロック部材１４０は、スライドアーム部材１２４との当接状態を解かれることで回動支点１４０ｃの周りに反時計回り方向に回動し、フック部１４０ａを光ピックアップ１３の突出部１３１に係合させ、該光ピックアップ１３をロック状態にする。
【００１４】
一方、光ディスクを光ディスク装置１内に挿入しローディング状態とするときには、光ディスクが挿入されるとローディングモータ４０が回転し、該回転駆動力により、伝達機構４１を経てレバー部材１２１、１２２が駆動され、該レバー部材１２２の駆動力が、アーム部材１４３を介して昇降機構１７０に伝達される。昇降機構１７０は、上記ユニットメカデッキ部材５０を支点線ＰＰ'の周りに回動させ、該ユニットメカデッキ部材５０を、例えばトップケース（装置の表面側を覆うケース）の内面の一部に光ディスクの内周部が当接する位置までＺ軸方向に上昇移動させ、光ディスクがターンテーブル１２の面上にチャッキングされるようにする。チャッキング後は、昇降機構１７０は、ユニットメカデッキ部材５０を再び支点線ＰＰ'の周りに回動させて−Ｚ軸方向に下降変位させ、ローディング状態の所定の高さ位置にする。このとき、これらの動作に並行して、レバー部材１２２によりレバー部材１２３が駆動され、回動支点１２３ａ周りに回動されて、スライドアーム部材１２４を矢印Ｅの方向に前進移動させ、ロック部材１４０の凹部形成面１４０ｄと当接させる。ロック部材１４０は、スライドアーム部材１２４と当接状態にされることで該スライドアーム部材１２４から外力を与えられ、回動支点１４０ｃの周りに時計回り方向に回動し、上記ディスクローディング動作が完了した後すなわちユニットメカデッキ部材５０が上記ローディング状態の所定の高さ位置になった後、該ディスクローディング位置でロック部材１４０のフック部１４０ａを光ピックアップ１３の突出部１３１から離間させ、該光ピックアップ１３のロックを解除する。ロックが解除されると光ピックアップ１３は、送りモータ３０で回転駆動されるリードスクリュー３１によって駆動され、ガイド部材３２、３３により案内されて、記録または再生動作のために光ディスクの略半径方向に移動可能となる。
以下、説明中で用いる図１、図２の構成における構成要素には、図１、図２の場合と同じ符号を付して用いるとする。
【００１５】
図３は、図１、図２に示す光ディスク装置１における光ピックアップ１３のロック機構Ａ部分の構成図である。
図３において、１２４ａは、スライドアーム部材１２４の先端部、１４０ｂは、ロック部材１４０のアーム部、１４０ｅは、ロック部材１４０のばね接続部、矢印Ｅ、Ｆは、スライドアーム部材１２４の移動方向、矢印Ｇ、Ｈは、ロック部材１４０の回動方向をそれぞれ示す。ロック部材１４０は、ばね１５０により、フック部１４０ａが光ピックアップ１３の突出部１３１と係合する方向に付勢されている。
【００１６】
光ディスク装置１が、ディスク非ローディング状態からディスクローディング状態へと変化する場合には、光ピックアップ１３はロック状態（図２）から非ロック状態へと変化する。この場合は、既に述べたようにスライドアーム部材１２４が矢印Ｅの方向に移動（前進移動）し、その先端部１２４ａが、ロック部材１４０の凹部形成面１４０ｄに当接し、ばね１５０の弾性復元力に抗して該ロック部材１４０を矢印Ｇの方向に回動変位させ、フック部１４０ａを光ピックアップ１３の突出部１３１から離間させ、光ピックアップ１３を、ロック状態から解放して非ロック状態にする。反対に、光ディスク装置１が、ディスクローディング状態からディスク非ローディング状態へと変化するときには、光ピックアップ１３は非ロック状態からロック状態（図２）へと変化する。この場合は、スライドアーム部材１２４が矢印Ｆの方向に移動（後退移動）し、その先端部１２４ａが、ロック部材１４０の凹部形成面１４０ｄから離間する。該離間により、ばね１５０は、その弾性復元力によって該ロック部材１４０を矢印Ｈの方向に回動変位させ、フック部１４０ａを光ピックアップ１３の突出部１３１に係合させて、光ピックアップ１３をロック状態にする。
【００１７】
図４は、図３のロック機構の動作説明図である。（ａ）はディスク非ローディング時の動作フローを示し、（ｂ）はディスクローディング時の動作フローを示す。
図４（ａ）において、ディスク非ローディング時は、
（１）イジェクトボタンが押されるなどして光ディスク装置１に、光ディスクの排出指示が与えられると、光ディスク装置１はローディングモータ４０を回転駆動させる（ステップＳ４１１）。
（２）ローディングモータ４０の回転駆動力により、伝達機構４１、レバー部材１２１、１２２などを介して昇降機構１７０が駆動され、昇降機構１７０は、ユニットメカデッキ部材５０に対し、光ディスクのローディング状態の高さ位置から下降する動作を開始させる（ステップＳ４１２）。
（３）ローディングモータ４０の駆動力により、伝達機構４１、レバー部材１２１、１２２、１２３などを介してスライドアーム部材１２４が矢印Ｆの方向に移動（後退移動）され、ロック部材１４０との当接を解かれて該ロック部材１４０から離間する（ステップＳ４１３）。
（４）ロック部材１４０は、ばね１５０の弾性復元力によって光ピックアップ１３の突出部１３１の方向（矢印Ｈの方向）に回動変位する（ステップＳ４１４）。
（５）ロック部材１４０の上記回動変位により、フック部１４０ａが光ピックアップ１３の突出部１３１に係合し、光ピックアップ１３はロック状態にされる（ステップＳ４１５）。該ロック状態で光ディスクは排出が可能となる。
【００１８】
また、図４（ｂ）において、ディスクローディング時は、
（１）光ディスク装置１に、光ディスクが挿入されると、光ディスク装置１はローディングモータ４０を回転駆動させる（ステップＳ４２１）。
（２）ローディングモータ４０の回転駆動力により、伝達機構４１、レバー部材１２１、１２２などを介して昇降機構１７０が駆動され、昇降機構１７０は、ユニットメカデッキ部材５０を上昇させ、光ディスクのチャッキング動作を開始させる（ステップＳ４２２）。
（３）スライドアーム部材１２４は、レバー部材１２２を経てレバー部材１２３から伝達される駆動力により矢印Ｅの方向に移動（前進移動）される（ステップＳ４２３）。
（４）スライドアーム部材１２４は、上記移動により凹部形成面１４０ｄに当接して、ロック部材１４０を矢印Ｇの方向に、ばね１５０の弾性復元力に抗して回動変位させる（ステップＳ４２４）。
（５）ロック部材１４０の上記回動変位により、フック部１４０ａが光ピックアップ１３の突出部１３１から離間し、光ピックアップ１３はロック状態を解除される（ステップＳ４２５）。該非ロック状態にされることで光ピックアップ１３は光ディスクの略半径方向の移動が可能となる。
【００１９】
上記ステップＳ４１１〜ステップＳ４１５及び上記ステップＳ４２１〜ステップＳ４２５におけるローディングモータ４０の駆動は、光ディスク装置１の制御手段としてのマイコン等からの制御信号に基づき制御される。
上記実施例によれば、光ディスク装置において、簡易な構成下で、ディスク非ローディング状態の光ピックアップをロックすることができ、装置輸送時などにおける光ピックアップの破損を防止することができる。
【図面の簡単な説明】
【００２０】
【図１】本発明の実施例としての光ディスク装置の表側の構成例図である。
【図２】図１の光ディスク装置の裏側の構成例図である。
【図３】図１の光ディスク装置における光ピックアップのロック機構部の構成図である。
【図４】図３のロック機構の動作説明図である。
【図５】本発明の課題の説明図である。
【符号の説明】
【００２１】
１…光ディスク装置、
１１…ディスクモータ、
１２…ターンテーブル、
１３…光ピックアップ、
１３ａ…対物レンズ、
２０…ボトムケース、
３０…送りモータ、
３１…リードスクリュー部材、
３２、３３…ガイド部材、
４０…ローディングモータ、
４１…伝達機構、
５０…ユニットメカデッキ部材、
６０…ベース部材、
１２１、１２２、１２３…レバー部材、
１２４…スライドアーム部材、
１３１…突出部、
１４０…ロック部材、
１４０ａ…フック部、
１６０…スイッチ、
１５０、１５３、１５５…ばね、
１７０…昇降機構、
Ａ…ロック機構、
Ｂ、Ｃ…昇降変位の支点、
ＰＰ'…支点線。
【図１】
2007035178.tif 000003
【図２】
2007035178.tif 000004
【図３】
2007035178.tif 000005
【図４】
2007035178.tif 000006
【図５】
2007035178.tif 000007